(57)【要約】【課題】通信端末間の通信に係る各種設定や変更を、通信端末を用いる現場で簡単な操作により行なうこと。【解決手段】電話システムにおける発呼先番号と、少なくとも２つの通信端末間を接続するスイッチ手段に対するコントローラによる設定とを対応付けて記憶する第１記憶部と、コントローラに対して、取得した発呼先番号に対応する、少なくとも２つの通信端末間の設定を指示する指示部と、を備える。コントローラによる設定は、通信端末間を接続する通信能力、例えば、通信端末間の通信の優先度、または、機密度を含む。【選択図】  図１
2018174382.tif 000002
【特許請求の範囲】
【請求項１】
電話システムにおける発呼先番号と、少なくとも２つの通信端末間を接続するスイッチ手段に対するコントローラによる設定とを対応付けて記憶する第１記憶手段と、
前記コントローラに対して、取得した発呼先番号に対応する、前記少なくとも２つの通信端末間の設定を指示する指示手段と、
を備える通信処理装置。
【請求項２】
前記コントローラによる設定は、前記少なくとも２つの通信端末間を接続する通信能力の設定を含む請求項１に記載の通信処理装置。
【請求項３】
前記通信能力は、前記少なくとも２つの通信端末間の通信の優先度、または、機密度を含む請求項２に記載の通信処理装置。
【請求項４】
前記優先度は、通信容量、通信速度および通信品質の少なくともいずれかを含む請求項３に記載の通信処理装置。
【請求項５】
前記コントローラによる設定は、前記少なくとも２つの通信端末間を接続する論理ネットワークの切り替えを含む請求項１乃至４のいずれか１項に記載の通信処理装置。
【請求項６】
前記論理ネットワークの切り替えは、前記少なくとも２つの通信端末が接続された情報コンセントに対する、前記論理ネットワークの割当ての切り替えである請求項５に記載の通信処理装置。
【請求項７】
前記指示手段は、前記発呼先番号を電話交換機または着呼した仮想電話機から取得する請求項１乃至６のいずれか１項に記載の通信処理装置。
【請求項８】
電話システムにおける発呼元番号と、前記スイッチ手段を介して接続された少なくとも２つの通信端末とを対応付けて記憶する第２記憶手段と、
前記スイッチ手段に対して、取得した発呼元番号に対応する、前記コントローラによって設定をすべき前記少なくとも２つの通信端末を指定する第１指定手段と、
をさらに備える請求項１乃至７のいずれか１項に記載の通信処理装置。
【請求項９】
電話システムにおける発呼先番号を着呼する仮想電話機と、前記スイッチ手段を介して接続された少なくとも２つの通信端末とを対応付けて記憶する第３記憶手段と、
前記スイッチ手段に対して、着呼した仮想電話機に対応する、前記コントローラによって設定をすべき前記少なくとも２つの通信端末を指定する第２指定手段と、
をさらに備える請求項１乃至７のいずれか１項に記載の通信処理装置。
【請求項１０】
前記発呼元番号を有する機器は、電話機および前記発呼先番号に発呼する条件の判定機能を有する機器との少なくともいずれかを含む請求項８または９に記載の通信処理装置。
【請求項１１】
前記指示手段が指示した前記コントローラによる設定が成功したか否かを、前記発呼元番号を有する機器に報知する報知手段をさらに備える請求項１０に記載の通信処理装置。
【請求項１２】
前記少なくとも２つの通信端末の間の接続終了を判定する判定手段をさらに備える請求項１乃至１１のいずれか１項に記載の通信処理装置。
【請求項１３】
前記コントローラによる設定は、前記少なくとも２つの通信端末間の接続後に前記指示手段が指示した前記コントローラに対する設定により変更される請求項１乃至１２のいずれか１項に記載の通信処理装置。
【請求項１４】
前記コントローラによる設定は、前記少なくとも２つの通信端末間の接続前に前記指示手段の指示により実施される請求項１乃至１３のいずれか１項に記載の通信処理装置。
【請求項１５】
前記少なくとも２つの通信端末は、テレビ会議に参加する端末である請求項１乃至１４のいずれか１項に記載の通信処理装置。
【請求項１６】
前記指示手段は、少なくとも３つの通信端末が異なる場所から参加するテレビ会議を制御する制御手段からの接続情報を参照して、前記コントローラに対して、前記コントローラによる設定を指示する請求項１５に記載の通信処理装置。
【請求項１７】
電話システムにおける発呼先番号と、少なくとも２つの通信端末間を接続するスイッチ手段に対するコントローラによる設定とを対応付けて記憶する第１記憶手段を参照して、取得した発呼先番号に対応する、前記少なくとも２つの通信端末間の設定を取得する取得ステップと、
前記コントローラに対して、取得した前記少なくとも２つの通信端末間の設定を指示する指示ステップと、
を含む通信処理方法。
【請求項１８】
電話システムにおける発呼先番号と、少なくとも２つの通信端末間を接続するスイッチ手段に対するコントローラによる設定とを対応付けて記憶する第１記憶手段を参照して、取得した発呼先番号に対応する、前記少なくとも２つの通信端末間の設定を取得する取得ステップと、
前記コントローラに対して、取得した前記少なくとも２つの通信端末間の設定を指示する指示ステップと、
をコンピュータに実行させる通信処理プログラム。
【請求項１９】
少なくとも２つの通信端末と、
電話システムにおける発呼先番号と、前記少なくとも２つの通信端末間を接続するスイッチ手段に対するコントローラによる設定とを対応付けて記憶する第１記憶手段と、
前記コントローラおよび前記スイッチ手段において、取得した発呼先番号に対応する、前記少なくとも２つの通信端末間の設定を行なう設定手段と、
を備える通信処理システム。
【請求項２０】
少なくとも２つの通信端末と、
電話システムにおける発呼先番号と、前記少なくとも２つの通信端末間を接続するスイッチ手段に対するコントローラによる設定とを対応付けて記憶する第１記憶手段を参照して、取得した発呼先番号に対応する、前記少なくとも２つの通信端末間の設定を取得する取得ステップと、
前記コントローラおよび前記スイッチ手段において、取得した発呼先番号に対応する、前記少なくとも２つの通信端末間の設定を行なう設定ステップと、
を含むネットワーク設定方法。
【発明の詳細な説明】
【技術分野】
【０００１】
本発明は、通信処理システム、ネットワーク設定方法、通信処理装置、通信処理方法および通信処理プログラムに関する。
【背景技術】
【０００２】
上記技術分野において、非特許文献１には、通話開始および終了の情報をＩＰ電話システムのサーバ(ＳＩＰサーバ)から取り出して、ＳＤＮコントローラに伝え、通話開始および終了のタイミングでＱｏＳの設定および解除を行う技術が開示されている。すなわち、ＩＰ電話システムにおける通話呼の生起および消滅に対応したＳＤＮコントローラによるＱｏＳの設定および解除を行なう。
【先行技術文献】
【非特許文献】
【０００３】
【非特許文献１】Michael F. Finneran, "UC and SDN: Application Controlling Networks," UNIFIED COMMUNICATION SRTRATEGIES, Februaly 27, 2014, http://www.ucstrategies.com/unified-communications-expert-views/uc-and-sdn-applications-controlling-networks.aspx
【発明の概要】
【発明が解決しようとする課題】
【０００４】
しかしながら、上記文献に記載の技術では、ＩＰ電話システムにおけるどの通話呼に対して制御を掛けるかはあらかじめ設定しておく必要あり、通信端末間の通信に係る各種設定や変更を、通信端末を用いる現場で行なうことができなかった。
【０００５】
本発明の目的は、上述の課題を解決する技術を提供することにある。
【課題を解決するための手段】
【０００６】
上記目的を達成するため、本発明に係る通信処理装置は、
電話システムにおける発呼先番号と、少なくとも２つの通信端末間を接続するスイッチ手段に対するコントローラによる設定とを対応付けて記憶する第１記憶手段と、
前記コントローラに対して、取得した発呼先番号に対応する、前記少なくとも２つの通信端末間の設定を指示する指示手段と、
を備える。
【０００７】
上記目的を達成するため、本発明に係る通信処理方法は、
電話システムにおける発呼先番号と、少なくとも２つの通信端末間を接続するスイッチ手段に対するコントローラによる設定とを対応付けて記憶する第１記憶手段を参照して、取得した発呼先番号に対応する、前記少なくとも２つの通信端末間の設定を取得する取得ステップと、
前記コントローラに対して、取得した前記少なくとも２つの通信端末間の設定を指示する指示ステップと、
を含む。
【０００８】
上記目的を達成するため、本発明に係る通信処理プログラムは、
電話システムにおける発呼先番号と、少なくとも２つの通信端末間を接続するスイッチ手段に対するコントローラによる設定とを対応付けて記憶する第１記憶手段を参照して、取得した発呼先番号に対応する、前記少なくとも２つの通信端末間の設定を取得する取得ステップと、
前記コントローラに対して、取得した前記少なくとも２つの通信端末間の設定を指示する指示ステップと、
をコンピュータに実行させる。
【０００９】
上記目的を達成するため、本発明に係る通信処理システムは、
少なくとも２つの通信端末と、
電話システムにおける発呼先番号と、前記少なくとも２つの通信端末間を接続するスイッチ手段に対するコントローラによる設定とを対応付けて記憶する第１記憶手段と、
前記コントローラおよび前記スイッチ手段において、取得した発呼先番号に対応する、前記少なくとも２つの通信端末間の設定を行なう設定手段と、
を備える。
【００１０】
上記目的を達成するため、本発明に係るネットワーク設定方法は、
少なくとも２つの通信端末と、
電話システムにおける発呼先番号と、前記少なくとも２つの通信端末間を接続するスイッチ手段に対するコントローラによる設定とを対応付けて記憶する第１記憶手段を参照して、取得した発呼先番号に対応する、前記少なくとも２つの通信端末間の設定を取得する取得ステップと、
前記コントローラおよび前記スイッチ手段において、取得した発呼先番号に対応する、前記少なくとも２つの通信端末間の設定を行なう設定ステップと、
を含む。
【発明の効果】
【００１１】
本発明によれば、通信端末間の通信に係る各種設定や変更を、通信端末を用いる現場で簡単な操作により行なうことができる。
【図面の簡単な説明】
【００１２】
【図１】本発明の第１実施形態に係る通信処理装置の構成を示すブロック図である。
【図２】本発明の第２実施形態に係る通信処理装置を有する通信処理システムの概要を示す図である。
【図３】本発明の第２実施形態に係る通信処理装置を有する通信処理システムの構成を示すブロック図である。
【図４】本発明の第２実施形態に係る通信処理装置を有する通信処理システムの動作手順を示すシーケンス図である。
【図５】本発明の第２実施形態に係る通信処理装置の機能構成を示すブロック図である。
【図６Ａ】本発明の第２実施形態に係る通信接続特定テーブルの構成を示す図である。
【図６Ｂ】本発明の第２実施形態に係る優先度設定テーブルの構成を示す図である。
【図７】本発明の第２実施形態に係る通信処理装置のハードウェア構成を示すブロック図である。
【図８】本発明の第２実施形態に係る通信処理装置の処理手順を示すフローチャートである。
【図９】本発明の第３実施形態に係る機密度設定テーブルの構成を示す図である。
【図１０】本発明の第４実施形態に係る通信接続特定テーブルの構成を示す図である。
【図１１Ａ】本発明の第５実施形態に係る通信処理装置を有する通信処理システムの動作手順を示すシーケンス図である。
【図１１Ｂ】本発明の第５実施形態に係る通信処理装置を有する通信処理システムの他の動作手順を示すシーケンス図である。
【図１２】本発明の第５実施形態に係る通信処理装置の機能構成を示すブロック図である。
【図１３】本発明の第５実施形態に係る通信接続特定テーブルの構成を示す図である。
【図１４】本発明の第６実施形態に係る通信処理装置を有する通信処理システムの構成を示すブロック図である。
【図１５】本発明の第６実施形態に係る通信処理装置を有する通信処理システムの動作手順を示すシーケンス図である。
【図１６】本発明の第６実施形態に係る通信接続特定テーブルの構成を示す図である。
【図１７Ａ】本発明の第７実施形態に係る通信処理装置を有する通信処理システムの構成を示すブロック図である。
【図１７Ｂ】本発明の第７実施形態に係る人物認識装置の機能構成を示すブロック図である。
【図１８】本発明の第７実施形態に係る発呼先番号テーブルの構成を示す図である。
【図１９】本発明の第８実施形態に係る通信処理装置を有する通信処理システムの概要を示す図である。
【図２０】本発明の第８実施形態に係る通信処理装置を有する通信処理システムの構成を示すブロック図である。
【図２１】本発明の第８実施形態に係る通信処理装置の機能構成を示すブロック図である。
【図２２】本発明の第８実施形態に係る論理ネットワーク設定テーブルの構成を示す図である。
【図２３】本発明の第８実施形態に係る通信処理装置の処理手順を示すフローチャートである。
【発明を実施するための形態】
【００１３】
以下に、図面を参照して、本発明の実施の形態について例示的に詳しく説明する。ただし、以下の実施の形態に記載されている構成要素は単なる例示であり、本発明の技術範囲をそれらのみに限定する趣旨のものではない。
【００１４】
［第１実施形態］
本発明の第１実施形態としての通信処理装置１００について、図１を用いて説明する。通信処理装置１００は、通信端末間の接続を指示する装置である。
【００１５】
図１に示すように、通信処理装置１００は、第１記憶部１０１と、指示部１０２と、を含む。第１記憶部１０１は、電話システム１１０における発呼先番号と、少なくとも２つの通信端末１３０間を接続するスイッチ部１２２に対するコントローラ１２１による設定とを対応付けて記憶する。指示部１０２は、コントローラ１２１に対して、取得した発呼先番号に対応する、少なくとも２つの通信端末１３０間の設定を指示する。
【００１６】
本実施形態によれば、現場にある電話システムを用いてコントローラに対する設定を指示するので、通信端末間の通信に係る各種設定や変更を、通信端末を用いる現場で簡単な操作により行なうことができる。
【００１７】
［第２実施形態］
次に、本発明の第２実施形態に係る通信処理装置について説明する。本実施形態に係る通信処理装置は、現場にある電話システムからの発呼先番号に対応するＳＤＮ（Software-Defined Networking）における設定をＳＤＮコントローラに指示する。ここで、ＳＤＮにおける設定は、通信端末間を接続する通信能力として通信の優先度を含む。優先度には、通信容量、通信速度および通信品質が含まれる。本実施形態においては、ＳＤＮによる設定は通信端末間の接続後に指示されて、ＳＤＮに対する設定が変更される。
【００１８】
電話システムにおける発呼先番号は、電話交換機または着呼した仮想電話機から取得する。また、電話システムにおける電話機からの発呼元番号とＳＤＮを介して接続された通信端末とを対応付けて記憶し、取得した発呼元番号に対応して設定をすべき通信端末を指定する。また、ＳＤＮにおける設定が成功したか否かを、発呼元番号を有する機器である電話機に報知する。そして、通信端末の間の接続終了を判定した場合は、ＳＤＮの設定を元に戻す。
【００１９】
《通信処理システム》
図２乃至図４を参照して、本実施形態の通信処理装置を有する通信処理システムについて説明する。
【００２０】
（概要）
図２は、本実施形態に係る通信処理装置を有する通信処理システムの概要を示す図である。
【００２１】
図２の上図において、会議室Ａ２００ではテレビ会議（以下ＴＶ会議）端末Ａ２１０により異なる場所にある他の会議室とのＴＶ会議が開始されている。しかし、ＴＶ会議端末Ａ２１０の画面２１１は画質が悪く、他の会議室からの音声も途切れがちである。
【００２２】
図２の中央図において、参加者２３０が電話機Ｘ２２０からＴＶ会議端末間の通信品質を高くするために、所定宛先番号に電話を掛ける。この所定宛先番号は仮想電話機に向けた仮想発呼先番号である。
【００２３】
図２の下図において、本実施形態の通信処理装置による優先度を高める指示により、ＴＶ会議端末間の通信品質が改善され、ＴＶ会議端末Ａ２１０の画面２１２は画質が改善され、他の会議室からの音声も良好となる。
【００２４】
このような画質および音質は、ＴＶ会議端末間の通信品質の改善を本実施形態の通信処理装置からＳＤＮコントローラに指示することにより実現する。
【００２５】
（構成）
図３は、本実施形態に係る通信処理装置３１０を有する通信処理システム３００の構成を示すブロック図である。通信処理システム３００は、ＴＶ会議端末Ａと電話機Ｘとが設置された会議室Ａ２００と、ＴＶ会議端末Ｂが設置された会議室Ｂ３０１と、によるＴＶ会議を示している。
【００２６】
通信処理システム３００は、本実施形態の通信処理装置３１０と、電話機Ｘが接続された電話交換機３２１と、電話交換機３２１に仮想的に接続された仮想電話機３２２と、を備える。さらに、通信処理システム３００は、本実施形態の通信処理装置３１０が制御するＳＤＮコントローラ３３１と、ＴＶ会議端末ＡおよびＴＶ会議端末Ｂが接続されるＳＤＮ対応機器（例えば、ＳＤＮスイッチ）３３２と、を含むＳＤＮ３３０を備える。なお、仮想電話機３２２は、電話交換機３２１の内部あるいは外部のソフトウェアによって、あらかじめ決められた発呼先番号への発呼を着呼して、その発呼先番号を含む着呼情報を通信処理装置３１０に通知する機能を示している。また、ＳＤＮコントローラ３３１を単に「コントローラ」、ＳＤＮ対応機器（例えば、ＳＤＮスイッチ）３３２を単に「スイッチ部」とも称す。
【００２７】
（動作シーケンス）
図４は、本実施形態に係る通信処理装置３１０を有する通信処理システム３００の動作手順を示すシーケンス図である。
【００２８】
ステップＳ４０１において、ＴＶ会議端末ＡとＴＶ会議端末ＢとがＳＤＮコントローラ３３１の制御に従って通信接続されて、ＴＶ会議が開始される。
【００２９】
会議室Ａに設置された電話機Ｘから、ステップＳ４０３において、仮想発呼先番号に対して発呼がされる。この発呼を受信した電話交換機３２１あるいは仮想電話機３２２は、ステップＳ４０５において、発呼先番号および発呼元番号の少なくとも一方を通信処理装置３１０に通知する。
【００３０】
通信処理装置３１０は、ステップＳ４０７において、ＴＶ会議により接続しているＴＶ会議端末であるＴＶ会議端末ＡとＴＶ会議端末Ｂとの接続を確認する。なお、ＴＶ会議に参加するＴＶ会議端末の接続確認については、取得した発呼元番号に基づいて、通信処理装置３１０があらかじめ保持するテーブルによって行なうことができる。また、取得した発呼元番号に基づいて、電話機Ｘが配置された会議室ＡのＴＶ会議端末Ａ、ＳＤＮコントローラ３３１、あるいは、図示しないがＴＶ会議を管理するＴＶ会議装置がある場合には、ＴＶ会議装置から取得してもよい。通信処理装置３１０は、ステップＳ４０９において、発呼先番号に対応する通信設定情報を取得する。そして、通信処理装置３１０は、ステップＳ４１１において、取得した通信設定情報に従って、ＳＤＮコントローラ３３１に対して通信設定を指示する。ＳＤＮコントローラ３３１は、ステップＳ４１３において、ＴＶ会議端末ＡとＴＶ会議端末Ｂとの接続設定を変更する。本例においては、ＴＶ会議端末ＡとＴＶ会議端末Ｂとの通信接続の優先度を高くするように、通信容量、通信速度、通信品質などが変更される。
【００３１】
ＳＤＮコントローラ３３１からの設定変更の完了を受けて、通信処理装置３１０は、ステップＳ４１５において、設定変更の完了を電話機Ｘに通知する。電話機Ｘは、ステップＳ４１７において、設定変更の完了をＴＶ会議参加者に報知する。なお、設定変更の完了通知先は、電話機Ｘに限定されず、ＴＶ会議参加者が携帯する携帯端末であってもよい。この場合は、通信処理装置３１０に携帯端末ＩＤをあらかじめ通知しておく。かかる完了通知についてはオプション動作であり、必須な手順ではないので削除してもよい。以下の実施形態においても同様である。
【００３２】
また、ステップＳ４２１において、ＴＶ会議が終了して通信切断が行なわれると、通信処理装置３１０は、ステップＳ４２３において、ＴＶ会議の終了を判定して、ステップＳ４２５において、変更した通信設定を元に戻す処理を行なう。なお、図４に破線矢印で示すように、電話機ＸからＴＶ会議の終了に対応する仮想発呼先番号に発呼することにより、通信処理装置３１０にＴＶ会議終了を通知してもよい。なお、通信処理装置３１０によるＴＶ会議の終了の認識は、例えば、ＴＶ会議端末から通知する方法、電話機ＸからＴＶ会議終了を指示する発呼先番号に発呼する方法、ＳＤＮコントローラ３３１からＴＶ会議に対応する通信切断を通知する方法、あるいは、ＴＶ会議を管理する別途の装置がある場合はその装置から通知する方法を含む。また、通信処理装置３１０からＴＶ会議の終了を確認する手順であってもよい。
【００３３】
《通信処理装置の機能構成》
図５は、本実施形態に係る通信処理装置３１０の機能構成を示すブロック図である。
【００３４】
通信処理装置３１０は、通信制御部５０１と、ＳＤＮコントローラ・インタフェース５０２と、発呼先番号取得部５０３と、優先度設定部５０４と、発呼元番号取得部５０５と、通信接続特定部５０６と、ＳＤＮコントローラ設定指示部５０７と、を備える。さらに、通信処理装置３１０は、設定完了情報取得部５０８と、設定完了通知部５０９と、通信接続終了判定部５１０と、設定終了指示部５１１と、を備える。
【００３５】
通信制御部５０１は、電話交換機３２１あるいは仮想電話機３２２との通信を制御する。ＳＤＮコントローラ・インタフェース５０２は、ＳＤＮコントローラ３３１とのインタフェースであり、ＳＤＮコントローラ３３１への制御コマンドを出力し、ＳＤＮコントローラ３３１からのステータスデータを入力する。
【００３６】
発呼先番号取得部５０３は、電話交換機３２１あるいは仮想電話機３２２から仮想の発呼先番号を取得する。優先度設定部５０４は、優先度設定テーブル５４１を有し、優先度設定テーブル５４１により発呼先番号を優先度設定指示に変換して、ＳＤＮコントローラ設定指示部５０７に出力する。また、発呼元番号取得部５０５は、電話交換機３２１あるいは仮想電話機３２２から仮想発呼先番号に発呼した発呼元番号を取得する。通信接続特定部５０６は、通信接続特定テーブル５６１を有し、通信接続特定テーブル５６１により発呼元番号から通信接続を特定して、ＳＤＮコントローラ設定指示部５０７に出力する。なお、図５では、通信処理装置３１０があらかじめ通信接続特定テーブル５６１を有するとして示したが、外部にＴＶ会議を管理するＴＶ会議装置を備える場合は、かかるテーブルを保持しなくともＴＶ会議装置に対して発呼元番号などにより通信接続を問い合わせればよい。ＳＤＮコントローラ設定指示部５０７は、通信接続特定部５０６により特定された通信接続からＳＤＮポートを特定し、優先度設定部５０４による優先度を、ＳＤＮコントローラ・インタフェース５０２を介して、ＳＤＮコントローラ３３１に指示する。
【００３７】
設定完了情報取得部５０８は、ＳＤＮコントローラ・インタフェース５０２を介して、ＳＤＮコントローラ３３１からの設定完了情報を取得する。そして、設定完了通知部５０９は、設定完了を、電話交換機３２１を経由して発呼した電話機に通知する。また、通信接続終了判定部５１０は、ＳＤＮコントローラ３３１や、電話交換機３２１あるいは仮想電話機３２２からの情報により、通信接続終了（ＴＶ会議終了）を判定する。そして、設定終了指示部５１１は、ＳＤＮコントローラ３３１における設定変更を元に戻す。
【００３８】
（通信接続特定テーブル）
図６Ａは、本実施形態に係る通信接続特定テーブル５６１の構成を示す図である。通信接続特定テーブル５６１は、通信接続特定部５０６が、仮想発呼先番号への発呼を行なった発呼元番号から設定変更の対象となる通信接続を特定するために使用する。
【００３９】
通信接続特定テーブル５６１は、ＴＶ会議ＩＤ６１１に対応付けて、使用される会議室６１２と、電話機Ｘの電話機番号（発呼元番号）６１３と、電話機Ｘが設置された会議室ＡのＴＶ会議端末ＩＤ６１４と、そのＴＶ会議端末が接続されるＳＤＮポートＩＤ６１５と、を記憶する。例えば、通信接続特定テーブル５６１により、電話機Ｘからの仮想発呼先番号への発呼が発呼元番号から判別され、電話機Ｘが設置された会議室ＡおよびＴＶ会議端末Ａが特定され、ＴＶ会議端末Ａと接続しているＴＶ会議端末Ｂが特定される。
【００４０】
（優先度設定テーブル）
図６Ｂは、本実施形態に係る優先度設定テーブル５４１の構成を示す図である。優先度設定テーブル５４１は、優先度設定部５０４が、仮想発呼先番号から設定変更の内容、本例では優先度の設定変更への変換をするために使用する。
【００４１】
優先度設定テーブル５４１は、仮想の発呼先番号６２１に対応付けて、優先度設定６２２を記憶する。優先度設定６２２には、優先度を上げるか／下げるか／戻すかの設定方向と、通信容量／通信速度／通信品質などの設定内容が含まれる。
【００４２】
《通信処理装置のハードウェア構成》
図７は、本実施形態に係る通信処理装置３１０のハードウェア構成を示すブロック図である。
【００４３】
図７で、ＣＰＵ７１０は演算制御用のプロセッサであり、プログラムを実行することで図５の機能構成部を実現する。ＣＰＵ７１０は複数のプロセッサを有し、異なるプログラムやモジュール、タスク、スレッドなどを並行して実行してもよい。ＲＯＭ７２０は、初期データおよびプログラムなどの固定データおよびプログラムを記憶する。ネットワークインタフェース７３０は、ネットワークを介した、通信処理装置３１０と電話交換機３２１や仮想電話機３２２などとの通信を制御する。
【００４４】
ＲＡＭ７４０は、ＣＰＵ７１０が一時記憶のワークエリアとして使用するランダムアクセスメモリである。ＲＡＭ７４０には、本実施形態の実現に必要なデータを記憶する領域が確保されている。発呼先番号７４１は、電話交換機３２１または仮想電話機３２２から取得した仮想電話機への発呼先番号である。発呼元番号７４２は、仮想の発呼先番号７４１に発呼した電話機の発呼元番号である。優先度設定情報７４３は、優先度設定部５０４により設定される優先度の設定情報である。通信接続情報７４４は、通信接続特定部５０６で特定された通信接続の情報である。ＳＤＮコントローラ制御コマンド７４５は、通信接続情報７４４により特定された通信接続に対して、優先度設定情報７４３による優先度の設定を行なうためのＳＤＮコントローラへの制御コマンドである。送受信データ７６４は、電話交換機３２１または仮想電話機３２２とのネットワークインタフェース７３０を介した送受信のためのデータである。
【００４５】
ストレージ７５０は、データベースや各種のパラメータ、あるいは本実施形態の実現に必要な以下のデータまたはプログラムが記憶されている。優先度設定テーブル５４１は、図６Ｂで説明した、発呼先番号を優先度設定に変換するためのテーブルである。通信接続特定テーブル５６１は、図６Ａで説明した、発呼元番号から設定対象の通信接続を特定するためのテーブルである。ＳＤＮコントローラ制御コマンドフォーマット７５１は、通信接続情報７４４に基づき優先度設定情報７４３に従う設定を行なうためのＳＤＮコントローラ制御コマンドを生成するためのフォーマットである。
【００４６】
ストレージ７５０には、以下のプログラムが格納される。通信処理装置制御プログラム７５２は、通信処理装置３１０の全体を制御するためのプログラムである。通信設定情報取得モジュール７５３は、発呼先番号や発呼元番号から通信設定情報を取得するモジュールである。ＳＤＮコントローラ制御モジュール７５４は、取得された通信設定情報に従ってＳＤＮコントローラを制御するモジュールである。電話システム接続モジュール７５５は、電話システムに含まれる電話交換機や仮想電話機と接続して情報を取得するモジュールである。
【００４７】
ＳＤＮコントローラ・インタフェース５０２は、接続されたＳＤＮコントローラ３３１とのインタフェースを行なう。
【００４８】
なお、図７のＲＡＭ７４０やストレージ７５０には、通信処理装置３１０が有する汎用の機能や他の実現可能な機能に関連するプログラムやデータは図示されていない。
【００４９】
《通信処理装置の処理手順》
図８は、本実施形態に係る通信処理装置３１０の処理手順を示すフローチャートである。このフローチャートは、図７のＣＰＵ７１０がＲＡＭ７４０を使用して実行し、図５の機能構成部を実現する。
【００５０】
通信処理装置３１０は、ステップＳ８０１において、仮想発呼先番号への発呼があったか否かを電話交換機や仮想電話機から受信した仮想発呼情報により判定する。仮想発呼先番号への発呼があった場合、通信処理装置３１０は、ステップＳ８０３において、仮想発呼情報から発呼元番号を取得する。そして、通信処理装置３１０は、ステップＳ８０５において、発呼元番号から、通信能力設定、本実施形態では優先度の設定の対象となる通信接続を判別する。
【００５１】
また、通信処理装置３１０は、ステップＳ８０７において、仮想発呼情報から仮想の発呼先番号を取得する。そして、通信処理装置３１０は、ステップＳ８０９において、発呼先番号から、通信能力設定、本実施形態では優先度の設定を判断する。
【００５２】
通信処理装置３１０は、ステップＳ８１１において、設定の対象となる通信接続の優先度を変更するためのＳＤＮコントローラ制御コマンドを生成して、ＳＤＮコントローラに送信する。通信処理装置３１０は、ステップＳ８１３において、ＳＤＮコントローラによる優先度変更の完了を待って、完了すれば、ステップＳ８１５において、ＴＶ会議参加者に対して優先度設定完了を通知する。
【００５３】
通信処理装置３１０は、ステップＳ８１７において、通信接続の終了、すなわちＴＶ会議の終了を判定する。ＴＶ会議の終了でなければ、通信処理装置３１０は、ステップＳ８０１からの処理を繰り返し、ＴＶ会議の終了であれば、ステップＳ８１９において、ＴＶ会議終了後の後処理、例えば、優先度の設定を元に戻すなどの処理を行なう。
【００５４】
本実施形態によれば、会議室にある電話機からの発呼によって、ＳＤＮに対して特定の通信接続の優先度の設定を指示できるので、ＴＶ会議端末間の通信に係る各種設定や変更を、ＴＶ会議端末を用いる現場である会議室での簡単な操作により行なうことができる。
【００５５】
［第３実施形態］
次に、本発明の第３実施形態に係る通信処理装置について説明する。本実施形態に係る通信処理装置は、上記第２実施形態と比べると、ＳＤＮコントローラへの設定変更が機密度である点で異なる。その他の構成および動作は、第２実施形態と同様であるため、同じ構成および動作については同じ符号を付してその詳しい説明を省略する。
【００５６】
（機密度設定テーブル）
図９は、本実施形態に係る機密度設定テーブル９４１の構成を示す図である。機密度設定テーブル９４１は、仮想発呼先番号から設定変更の内容、本例では機密度の設定変更への変換をするために使用する。
【００５７】
機密度設定テーブル９４１は、仮想の発呼先番号９２１に対応付けて、機密度設定９２２を記憶する。機密度設定９２２には、機密度を上げるか／下げるか／戻すかの設定方向と、通信プロトコル／暗号化／ファイアウォールなどの設定内容が含まれる。
【００５８】
本実施形態によれば、会議室にある電話機からの発呼によって、ＳＤＮに対して特定の通信接続の機密度の設定を指示できるので、ＴＶ会議端末間の通信に係る各種設定や変更を、ＴＶ会議端末を用いる現場である会議室での簡単な操作により行なうことができる。
【００５９】
［第４実施形態］
次に、本発明の第４実施形態に係る通信処理装置について説明する。本実施形態に係る通信処理は、上記第２実施形態および第３実施形態と比べると、複数の仮想電話機への発呼先番号によって通信設定を変更する対象を特定する点で異なる。すなわち、電話システムにおける発呼先番号を着呼する仮想電話機と、ＳＤＮを介して接続された通信端末とを対応付けて記憶し、着呼した仮想電話機に対応する設定をすべき通信端末を指定する。その他の構成および動作は、第２実施形態や第３実施形態と同様であるため、同じ構成および動作については同じ符号を付してその詳しい説明を省略する。
【００６０】
（通信接続特定テーブル）
図１０は、本実施形態に係る通信接続特定テーブル１０６１の構成を示す図である。通信接続特定テーブル１０６１は、第２実施形態の通信接続特定テーブル５６１と置き換えられて、仮想電話機への仮想発呼先番号に対応して、ＳＤＮにおける設定変更の対象となる通信接続を特定するために使用される。なお、通信処理装置３１０があらかじめ通信接続特定テーブル１０６１を有するとして説明したが、外部にＴＶ会議を管理するＴＶ会議装置を備える場合は、かかるテーブルを保持しなくともＴＶ会議装置に対して発呼先番号などにより通信接続を問い合わせればよい。
【００６１】
通信接続特定テーブル１０６１は、仮想電話機への発呼先番号１０１１に対応付けて、ＴＶ会議ＩＤ１０１２と、このＴＶ会議に参加接続される第１ＴＶ会議端末１０１３と、第２ＴＶ会議端末１０１４と、を記憶する。第１ＴＶ会議端末１０１３および第２ＴＶ会議端末１０１４には、会議室ＩＤと端末接続ポートとが含まれる。
【００６２】
本実施形態によれば、発呼元番号から設定変更の対象となる通信接続を特定するための複数回の処理を、仮想電話機への発呼先番号による１回の処理で行なうので、ＴＶ会議端末間の通信に係る各種設定や変更を、ＴＶ会議端末を用いる現場である会議室でのより簡単な操作により行なうことができる。
【００６３】
［第５実施形態］
次に、本発明の第５実施形態に係る通信処理装置について説明する。本実施形態に係る通信処理装置は、上記第２実施形態乃至第４実施形態と比べると、ＴＶ会議開始後に通信接続の設定変更を行なうのではなく、ＴＶ会議開始による通信端末間の接続前に通信接続の設定依頼をする点で異なる。その他の構成および動作は、第２実施形態と同様であるため、同じ構成および動作については同じ符号を付してその詳しい説明を省略する。
【００６４】
《通信処理システムの動作シーケンス》
図１１Ａおよび図１１Ｂは、本実施形態に係る通信処理装置１１１０を有する通信処理システムの動作手順を示すシーケンス図である。
【００６５】
図１１Ａは、ＴＶ会議開始前の通信接続の設定依頼を保持して、ＴＶ会議開始時に設定する動作手順のシーケンス図である。なお、図１１Ａにおいて、図４と同様のステップには同じステップ番号を付して、重複する説明を省略する。
【００６６】
通信処理装置１１１０は、ステップＳ１１０７において、仮想発呼先番号に発呼した発呼元番号に対応するＴＶ会議予定を取得する。なお、ＴＶ会議予定は、通信処理装置１１１０に保持されていてもよいし、外部のＴＶ会議スケジュールサーバから取得してもよい。通信処理装置３１０は、ステップＳ１１１０において、設定の完了を電話機Ｘに通知する。電話機Ｘは、ステップＳ１１１１において、設定の完了をＴＶ会議参加者に報知する。なお、設定完了の通知先は、電話機Ｘに限定されず、ＴＶ会議参加者が携帯する携帯端末であってもよい。この場合は、通信処理装置３１０に携帯端末ＩＤをあらかじめ通知しておく。通信処理装置１１１０は、ステップＳ１１１３において、通信設定情報を保持して、一定時間、ＴＶ会議開始を待機する。
【００６７】
一定時間内に、ステップＳ１１１５のＴＶ会議開始の処理があると、通信処理装置１１１０は、ステップＳ４１１において、保持していた通信設定情報に基づいて、ＳＤＮコントローラ３３１に通信設定を指示する。ＳＤＮコントローラ３３１は、ステップＳ１１１７において、ＴＶ会議端末ＡとＴＶ会議端末Ｂとの接続設定を行なう。なお、通信処理装置３１０によるＴＶ会議の開始の認識は、例えば、ＴＶ会議端末から通知する方法、電話機ＸからＴＶ会議終了を指示する発呼先番号に発呼する方法、ＳＤＮコントローラ３３１からＴＶ会議に対応する通信切断を通知する方法、あるいは、ＴＶ会議を管理する別途の装置がある場合はその装置から通知する方法を含む。また、通信処理装置３１０からＴＶ会議の開始を確認する手順であってもよい。
【００６８】
図１１Ｂは、ＴＶ会議開始前の通信接続の設定依頼をＳＤＮコントローラに設定して、ＴＶ会議開始時にＳＤＮコントローラが対応する接続をする動作手順のシーケンス図である。なお、図１１Ｂにおいて、図４および図１１Ａと同様のステップには同じステップ番号を付して、重複する説明を省略する。
【００６９】
図１１Ｂにおいては、通信処理装置１１１０は、ステップＳ４１１において、ＴＶ会議開始を待たずにＳＤＮコントローラ３３１に対して通信接続の設定を行なう。ＳＤＮコントローラ３３１から設定の完了報告があると、信処理装置１１１０は、ステップＳ１１２５において、電話機Ｘに設定完了を通知し、電話機Ｘは、ステップＳ１１２７において、ＴＶ会議参加者に設定完了を報知する。なお、設定完了は、ＴＶ参加者が携帯する携帯端末から報知してもよい。そして、ＳＤＮコントローラ３３１は、ステップＳ１１２９におけるＴＶ会議の開始時に設定される通信接続を行なう。
【００７０】
以上、図１１Ａや図１１Ｂの動作手順により、ＴＶ会議の開始前に通信接続の優先度や機密度を設定することができる。
【００７１】
《通信処理装置の機能構成》
図１２は、本実施形態に係る通信処理装置１１１０の機能構成を示すブロック図である。なお、図１２において、図５と同様の機能構成部には同じ参照番号を付して、重複する説明を省略する。
【００７２】
通信処理装置１１１０は、ＴＶ会議予定情報に基づいて設定の対象となる通信接続を特定する通信接続特定部１２０６と、開始していないＴＶ会議のＴＶ会議端末間の通信接続の設定を行なうＳＤＮコントローラ設定指示部１２０７と、を備える。通信接続特定部１２０６は、予定のＴＶ会議に基づいて通信接続を特定する通信接続特定テーブル１２６１を有する。通信接続特定テーブル１２６１は、特に、図１１Ｂの動作手順で使用される。なお、通信処理装置１１１０があらかじめ通信接続特定テーブル１２６１を有するとして説明したが、外部にＴＶ会議を管理するＴＶ会議装置を備える場合は、かかるテーブルを保持しなくともＴＶ会議装置に対して発呼元番号などによりＴＶ会議予約情報および通信接続を問い合わせればよい。ＳＤＮコントローラ設定指示部１２０７は、ＴＶ会議の開始を待機する時間制限のためのタイマを有する。なお、このタイマは、特に、図１１Ａの動作手順で使用される。
【００７３】
（通信接続特定テーブル）
図１３は、本実施形態に係る通信接続特定テーブル１２６１の構成を示す図である。通信接続特定テーブル１２６１は、仮想の発呼先番号に発呼した発呼元番号から取得した予定のＴＶ会議に基づいて通信接続を特定するために使用される。なお、図１３において、図６Ａと同様の構成要素には同じ参照番号を付して、重複する説明を省略する。
【００７４】
通信接続特定テーブル１２６１は、予定ＴＶ会議ＩＤ１３１１に対応付けて、通信接続を特定するデータを記憶する。
【００７５】
本実施形態によれば、ＴＶ会議の開始前であっても、ＴＶ会議端末間の通信に係る各種設定や変更を、ＴＶ会議端末を用いる現場である会議室での簡単な操作により行なうことができる。
【００７６】
［第６実施形態］
次に、本発明の第６実施形態に係る通信処理装置について説明する。本実施形態に係る通信処理装置は、上記第２実施形態乃至第５実施形態と比べると、１対１で接続されたＴＶ会議端末ではなく、多地点にあるＴＶ端末が接続された場合に通信接続を設定する点で異なる。本例では、多地点として３箇所のＴＶ会議端末が多地点ＴＶ会議装置により制御されている場合を説明する。その他の構成および動作は、第２実施形態から第５実施形態と同様であるため、同じ構成および動作については同じ符号を付してその詳しい説明を省略する。
【００７７】
《通信処理システムの構成》
図１４は、本実施形態に係る通信処理装置１４１０を有する通信処理システム１４００の構成を示すブロック図である。なお、図１４において、図３と同様の構成要素には同じ参照番号を付して、重複する説明を省略する。
【００７８】
通信処理システム１４００には、ＴＶ会議端末Ｃが設置されて多地点ＴＶ会議に参加する会議室Ｃが追加されている。また、通信処理システム１４００は、３地点の３つのＴＶ会議端末Ａ〜Ｃにより多地点ＴＶ会議を制御する多地点ＴＶ会議装置１４４０を有する。そして、通信処理システム１４００の通信処理装置１４１０は、多地点ＴＶ会議装置１４４０からのＴＶ会議端末Ａ〜Ｃの接続情報を参照して、多地点ＴＶ会議全体の通信接続を統一的に設定あるいは変更する。
【００７９】
《通信処理システムの動作シーケンス》
図１５は、本実施形態に係る通信処理装置１４１０を有する通信処理システム１４００の動作手順を示すシーケンス図である。なお、図１５において、図４と同様のステップには同じステップ番号を付して、重複する説明を省略する。
【００８０】
通信処理装置３１０は、ステップＳ４０７の接続端末の確認において、多地点ＴＶ会議装置１４４０から、ステップＳ１５０７において通知される多地点のＴＶ会議参加端末の情報も参照する。そして、通信処理装置３１０は、ステップＳ４１１の通信設定の指示において、多地点のＴＶ会議参加端末の全ての端末間での設定を変更するよう、ＳＤＮコントローラ３３１に指示する。
【００８１】
（通信接続特定テーブル）
図１６は、本実施形態に係る通信接続特定テーブル１６６１の構成を示す図である。通信接続特定テーブル１６６１は、第２実施形態の通信接続特定テーブル５６１と置き換えられて、多地点ＴＶ会議において、仮想発呼先番号への発呼を行なった発呼元番号から設定変更の対象となる通信接続を特定するために使用される。なお、図１６において、図６Ａと同様の構成要素には同じ参照番号を付して、重複する説明は省略する。なお、かかる通信接続特定テーブル１６６１も、外部にＴＶ会議を管理するＴＶ会議装置を備える場合は、通信処理装置３１０が保持しなくとも、多地点ＴＶ会議装置１４４０に対して発呼元番号などにより通信接続を問い合わせればよい。
【００８２】
通信接続特定テーブル１６６１は、ＴＶ会議ＩＤ６１１に対応付けて、使用される３つ以上の会議室１６１２を記憶する。以降のデータも、会議室数が異なるのみで図６Ａと同様である。
【００８３】
本実施形態によれば、多地点ＴＶ会議においても、３つ以上のＴＶ会議端末間の通信に係る各種設定や変更を、ＴＶ会議端末を用いる現場である会議室での簡単な操作により行なうことができる。
【００８４】
［第７実施形態］
次に、本発明の第７実施形態に係る通信処理装置について説明する。本実施形態に係る通信処理装置は、上記第２実施形態と同様であるが、仮想発呼先番号を電話機Ｘとは異なる機器から取得する点で異なる。すなわち、電話機Ｘとは異なる機器は、発呼先番号に発呼する条件の判定機能を有する機器であり、例えば、カメラで撮像した人物の認識に基づいてＴＶ会議端末間の通信接続を設定する。その他の構成および動作は、第２実施形態と同様であるため、同じ構成および動作については同じ符号を付してその詳しい説明を省略する。
【００８５】
《通信処理システムの構成》
図１７Ａは、本実施形態に係る通信処理装置３１０を有する通信処理システム１７００の構成を示すブロック図である。なお、図１７Ａにおいて、図３と同様の構成要素には同じ参照番号を付して、重複する説明を省略する。
【００８６】
通信処理システム１７００には、入室する人物を撮像するカメラ１７１１と、撮像された人物を認識して特定された人物に対応する通信接続の設定をするために、仮想の発呼先番号に発呼する人物認識装置１７５０と、を備える会議室１７０１が図示されている。
【００８７】
《人物認識装置の機能構成》
図１７Ｂは、本実施形態に係る人物認識装置１７５０の機能構成を示すブロック図である。
【００８８】
人物認識装置１７５０は、通信制御部１７５１と、カメラ１７１１からの画像を取得する画像取得部と、人物認識と仮想の発呼先番号の取得のためのデータベース１７５３と、人物認識部１７５４と、発呼先番号取得部１７５５と、電話交換機３２１に仮想の発呼先番号で発呼する発呼部１７５６と、を備える。
【００８９】
データベース１７５３は、人物認識用データベースと発呼先番号テーブルとが格納される。発呼先番号テーブルは、人物ＩＤと優先度と発呼先番号を含む。人物認識部１７５４は、人物認識用データベースを参照してカメラ１７１１が撮像した人物を認識する。発呼先番号取得部１７５５は、発呼先番号テーブルを参照して人物に対応する優先度を設定するための発呼先番号を取得する。
【００９０】
（発呼先番号テーブル）
図１８は、本実施形態に係る発呼先番号テーブル１８００の構成を示す図である。発呼先番号テーブル１８００は、会議室に入室する人物の認識に対応する仮想の発呼先番号を生成するために使用される。
【００９１】
発呼先番号テーブル１８００は、認識された人物ＩＤ１８０１に対応付けて、その役職などの重要度に従った通信接続の優先度１８０２と、ＳＤＮコントローラ３３１に対して優先度１８０２を設定するための仮想の発呼先番号１８０３と、を記憶する。
【００９２】
本実施形態によれば、会議室の設置された電話機のみでなく、他の発呼先番号に発呼する条件の判定機能を有する機器においても、ＴＶ会議端末間の通信に係る各種設定や変更を、ＴＶ会議端末を用いる現場である会議室で簡単に行なうことができる。
【００９３】
［第８実施形態］
次に、本発明の第８実施形態に係る通信処理装置について説明する。本実施形態に係る通信処理装置は、上記第２実施形態乃至第７実施形態と比べると、ＳＤＮコントローラに対して通信能力や通信品質の設定を依頼するのではなく、仮想の発呼先番号に対応して、ＳＤＮコントローラに対して情報コンセントの論理ネットワークへの割当ての切り替えを指示する点で異なる。その他の構成および動作は、第２実施形態から第７実施形態と同様であるため、同じ構成および動作については同じ符号を付してその詳しい説明を省略する。
【００９４】
《通信処理システムの概要》
図１９は、本実施形態に係る通信処理装置を有する通信処理システムの概要を示す図である。
【００９５】
図１９の上図において、会議室Ａ２００ではＴＶ会議端末Ａ２１０により他の会議室とのＴＶ会議が開始されている。しかし、ＴＶ会議端末Ａ２１０の画面１９１１にはＴＶ会議Ｙへの参加が表示され、音声も出力されている。
【００９６】
図１９の中央図において、参加者２３０が電話機Ｘ２２０からＴＶ会議端末Ａ２１０を接続した情報コンセントに割当てられた論理ネットワークを切り替えるために、所定宛先番号に電話を掛ける。この所定宛先番号は仮想電話機に向けた仮想発呼先番号である。
【００９７】
図１９の下図において、本実施形態の通信処理装置による情報コンセントに割当てられた論理ネットワークを切り替える指示により、ＴＶ会議端末Ａ２１０の画面１９１２にはＴＶ会議Ｚへの参加が表示され、音声も出力されている。
【００９８】
このような参加するＴＶ会議の切り替えは、情報コンセントに割当てられた論理ネットワークの切り替えを本実施形態の通信処理装置からＳＤＮコントローラに指示することにより実現する。なお、図１９においては、ＴＶ会議の切り替えを例に説明したが、各々の論理ネットワークで通信接続の優先度や通信品質、あるいは、機密度が異なる場合は、それらの切り替えとしても使用できる。
【００９９】
しかし、本実施形態は、上記例に限定されず、論理ネットワークにどのような特徴を付与するかによって、仮想電話機に向けた仮想発呼先番号による発呼で種々の切り替えが可能になる。
【０１００】
《通信処理システムの構成》
図２０は、本実施形態に係る通信処理装置２０１０を有する通信処理システムの構成を示すブロック図である。なお、図２０において、図３と同様の構成要素には同じ参照番号を付して、重複する説明を省略する。
【０１０１】
図２０においては、ＳＤＮに接続されている情報コンセントの設定を変える、すなわち、電話機から仮想発呼先番号をダイヤルすることで情報コンセントのポートに割り当てられた論理ネットワークを切り替える。通信処理装置２０１０は、電話機からの仮想発呼先番号を電話交換機３２１または仮想電話機３２２から取得して、仮想発呼先番号に対応して、情報コンセントのポートに割り当てられた論理ネットワークを切り替える。
【０１０２】
図２０の例では、６桁の仮想発呼先番号において、上位２桁“１２”が論理ネットワークの切り替え指示を表わし、次の３桁“ｓｓｓ”が設定対象の情報コンセントの番号を表わし、下位１桁“ｎ”が論理ネットワークの切り替え内容を表わしている。図２０における、下位１桁“ｎ”による論理ネットワークの切り替え内容は、“０”がネットワークからの切り離し、“１”が論理ネットワークＹへの接続、“２”が論理ネットワークＺへの接続、であるが、これに限定されない。
【０１０３】
《通信処理装置の機能構成》
図２１は、本実施形態に係る通信処理装置２０１０の機能構成を示すブロック図である。なお、図２１において、図５と同様の機能構成部には同じ参照番号を付して、重複する説明は省略する。
【０１０４】
通信処理装置２０１０は、論理ネットワーク設定部２１０４と、ＳＤＮコントローラ設定指示部２１０７と、を備える。論理ネットワーク設定部２１０４は、発呼先番号取得部５０３が取得した仮想の発呼先番号に基づいて、論理ネットワーク設定テーブル２１４１を参照して、論理ネットワークを設定する。ＳＤＮコントローラ設定指示部２１０７は、論理ネットワークを設定するＳＤＮコントローラへの設定指示の制御コマンドを生成する。
【０１０５】
（論理ネットワーク設定テーブル）
図２２は、本実施形態に係る論理ネットワーク設定テーブル２１４１の構成を示す図である。論理ネットワーク設定テーブル２１４１は、論理ネットワーク設定部２１０４が、仮想の発呼先番号に基づいて論理ネットワークを設定するために使用する。
【０１０６】
論理ネットワーク設定テーブル２１４１は、６桁の仮想発呼先番号２２０１に対応付けて、処理内容２２０２を記憶する。なお、６桁の仮想発呼先番号２２０１は、図２０でも説明したように、指定コマンド桁と情報コンセント番号桁と接続ネットワーク桁とを含む。
【０１０７】
《通信処理装置の処理手順》
図２３は、本実施形態に係る通信処理装置２０１０の処理手順を示すフローチャートである。なお、図２３において、図８と同様のステップには同じステップ番号を付して、重複する説明を省略する。
【０１０８】
通信処理装置２０１０は、ステップＳ２３０８において、仮想発呼先番号から情報コンセント番号を取得する。また、通信処理装置２０１０は、ステップＳ２３０９において、仮想発呼先番号から取得した情報コンセントに割り当てる論理ネットワークを取得する。通信処理装置２０１０は、ステップＳ２３１３において、情報コンセントへの論理ネットワークの割当て完了を待って、割当てを完了すると、ステップＳ２３１５において、割当て完了を通知する。なお、上述のように、通知先は発呼電話機であってもユーザが携帯する携帯端末であってもよい。
【０１０９】
本実施形態によれば、電話システムからの仮想発呼先番号に基づいて情報コンセントに割り当てる論理ネットワーク切り替えられるので、通信に係る各種設定や変更を、通信端末を用いる現場での簡単な操作により行なうことができる。
【０１１０】
［他の実施形態］
以上、実施形態を参照して本願発明を説明したが、本願発明は上記実施形態に限定されるものではない。本願発明の構成や詳細には、本願発明のスコープ内で当業者が理解し得る様々な変更をすることができる。また、それぞれの実施形態に含まれる別々の特徴を如何様に組み合わせたシステムまたは装置も、本発明の範疇に含まれる。
【０１１１】
また、本発明は、複数の機器から構成されるシステムに適用されてもよいし、単体の装置に適用されてもよい。さらに、本発明は、実施形態の機能を実現する通信処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。特に、少なくとも、上述した実施形態に含まれる処理ステップをコンピュータに実行させるプログラムを格納した非一時的コンピュータ可読媒体（non-transitory computer readable medium）は本発明の範疇に含まれる。
【図１】
2018174382.tif 000003
【図２】
2018174382.tif 000004
【図３】
2018174382.tif 000005
【図４】
2018174382.tif 000006
【図５】
2018174382.tif 000007
【図６Ａ】
2018174382.tif 000008
【図６Ｂ】
2018174382.tif 000009
【図７】
2018174382.tif 000010
【図８】
2018174382.tif 000011
【図９】
2018174382.tif 000012
【図１０】
2018174382.tif 000013
【図１１Ａ】
2018174382.tif 000014
【図１１Ｂ】
2018174382.tif 000015
【図１２】
2018174382.tif 000016
【図１３】
2018174382.tif 000017
【図１４】
2018174382.tif 000018
【図１５】
2018174382.tif 000019
【図１６】
2018174382.tif 000020
【図１７Ａ】
2018174382.tif 000021
【図１７Ｂ】
2018174382.tif 000022
【図１８】
2018174382.tif 000023
【図１９】
2018174382.tif 000024
【図２０】
2018174382.tif 000025
【図２１】
2018174382.tif 000026
【図２２】
2018174382.tif 000027
【図２３】
2018174382.tif 000028